(57)【特許請求の範囲】
【請求項１】
器具本体と、この器具本体に可動に設けられるランプソケットと、このランプソケットに装着される片口金ランプの周りを囲い前記片口金ランプの軸方向に対し略一致する軸方向を有して前記器具本体に固定された反射鏡と、前記ランプソケットに装着された前記片口金ランプを前記反射鏡に対して移動可能に操作する操作部を有して前記片口金ランプを前記反射鏡に対して位置制御する位置制御手段とを備え、
前記位置制御手段は、前記ランプソケットに装着された前記片口金ランプを、その軸方向に略沿って移動可能とするものであって、前記器具本体に取付けられた固定支持部と、前記ランプソケットを設け前記固定支持部に移動可能に取付けられた可動部とを有し、
前記可動部は前記反射鏡の内側に納装されて前記片口金ランプの後面側の光を反射する補助反射板を有し、前記補助反射板の前端開口の両側に突起を設け前記突起に貫通穴を形成し、
前記操作部は線材を半円形状にわん曲しその両端を外方に曲げ、前記貫通穴に貫通して前記補助反射板の外側に弾力により突出し、
前記操作部の両端の付け根の折曲部に摺接して前記操作部の半円形状を前記補助反射板の前端開口の縁部に沿った位置から前記貫通穴を中心として下方に回動したとき前記操作部の両端を前記貫通穴に後退させる操作部移動用傾斜突起部を前記補助反射板の内側に設け、
前記反射鏡の内側に前記突起をガイドするガイド部を設け、前記操作部の両端が嵌合する複数の穴を前記ガイド部の前記可動部の移動方向に設け、
前記ランプソケットは前記反射鏡の上端開口を通して前記反射鏡よりも上方に突出した照明器具。
【請求項２】
前記ガイド部が、前記反射鏡の軸方向に延びて中間部で周方向に階段状に曲がるか、または軸方向に延びながら周方向に斜めに曲がっている請求項１記載の照明器具。
【請求項３】
器具本体と、この器具本体に可動に設けられるランプソケットと、このランプソケットに装着される片口金ランプの周りを囲い前記片口金ランプの軸方向に対し略一致する軸方向を有して前記器具本体に固定された反射鏡と、前記ランプソケットに装着された前記片口金ランプを前記反射鏡に対して移動可能に操作する操作部を有して前記片口金ランプを前記反射鏡に対して位置制御する位置制御手段とを備え、
前記位置制御手段は、前記ランプソケットに装着された前記片口金ランプを、その軸方向に略沿って移動可能とするものであって、前記器具本体に取付けられた固定支持部と、前記ランプソケットを設け前記固定支持部に移動可能に取付けられた可動部とを有し、
前記可動部は前記反射鏡の内側に納装されて前記片口金ランプの後面側の光を反射する補助反射板を有し、前記補助反射板の前端開口の両側にそれぞれ一対の割りを形成することにより一対の割りの間の部分に弾力をもたせ、前記部分に突起を突出するとともに前記操作部を凹設し、
前記反射鏡の内側に前記突起を嵌合する複数の穴を前記可動部の移動方向に設け、
前記ランプソケットは前記反射鏡の上端開口を通して前記反射鏡よりも上方に突出した照明器具。
【発明の詳細な説明】
【０００１】
【発明の属する技術分野】
この発明は、ダウンライト等の照明器具に関するものである。
【０００２】
【従来の技術】
図１８に示すように、反射鏡１００に対しランプ（図示せず）を装着するソケット部１０１をソケット台１０４に取付け、反射鏡１００の軸方向に沿って移動させるダウンライトは知られている（図１８）。この照明器具は、反射鏡１００とランプを装着するソケット部１０１との相対位置を反射鏡１００の軸方向に変えることにより、照射角度および配光を変化させるもので、施工前に、ランプを装着するソケット部１０１と反射鏡１００との位置関係を反射鏡１００の軸方向に移動させてから、反射鏡１００のスリット１０３を通して器具の外方からねじ１０２によりねじ止め固定した後、取付面に器具を取付けるものである。
【０００３】
しかし、器具が取付面に取付けられた状態では器具内面より固定手段を解除することができないために、ランプを装着するソケット部１０１を器具施工後に、可動させることはできなかった。また器具内面部は空間が制限されており、可動部分を簡単に操作する手段を従来例の延長線上に設定することは困難であった。
【０００４】
【発明が解決しようとする課題】
従来の欠点は以下の点が上げられる。
【０００５】
▲１▼ランプを装着するソケット部１０１と反射鏡１００との位置関係を設定した後、取付面に取付けた後において、取付面に取付けた状態で器具内部より操作することによって、ランプを装着するソケット部を可動させることができない。
【０００６】
▲２▼片口金ランプのワット数が異なることによるランプ長さが異なった数種類のランプに対して、長さが異なってもランプの先端位置が変わらないように、見かかり上のランプの先端位置を正確に設定することができない。
【０００７】
以上の欠点を解決するために、本発明の目的は、照明器具を取付面に取付けた状態でランプを装着するソケット部を可動させることが可能な構造とし、かつ最適配光となるランプ位置を正確に決めることが可能な構造とした照明器具を提供することである。
【０００８】
【課題を解決するための手段】
請求項１記載の照明器具は、器具本体と、この器具本体に可動に設けられるランプソケットと、このランプソケットに装着される片口金ランプの周りを囲い前記片口金ランプの軸方向に対し略一致する軸方向を有して前記器具本体に固定された反射鏡と、前記ランプソケットに装着された前記片口金ランプを前記反射鏡に対して移動可能に操作する操作部を有して前記片口金ランプを前記反射鏡に対して位置制御する位置制御手段とを備え、
前記位置制御手段は、前記ランプソケットに装着された前記片口金ランプを、その軸方向に略沿って移動可能とするものであって、前記器具本体に取付けられた固定支持部と、前記ランプソケットを設け前記固定支持部に移動可能に取付けられた可動部とを有し、
前記可動部は前記反射鏡の内側に納装されて前記片口金ランプの後面側の光を反射する補助反射板を有し、前記補助反射板の前端開口の両側に突起を設け前記突起に貫通穴を形成し、
前記操作部は線材を半円形状にわん曲しその両端を外方に曲げ、前記貫通穴に貫通して前記補助反射板の外側に弾力により突出し、
前記操作部の両端の付け根の折曲部に摺接して前記操作部の半円形状を前記補助反射板の前端開口の縁部に沿った位置から前記貫通穴を中心として下方に回動したとき前記操作部の両端を前記貫通穴に後退させる操作部移動用傾斜突起部を前記補助反射板の内側に設け、
前記反射鏡の内側に前記突起をガイドするガイド部を設け、前記操作部の両端が嵌合する複数の穴を前記ガイド部の前記可動部の移動方向に設け、
前記ランプソケットは前記反射鏡の上端開口を通して前記反射鏡よりも上方に突出したものである。
【０００９】
請求項１記載の照明器具によれば、片口金ランプを移動させる操作部を反射鏡の内側に設けたことにより、照明器具を取付面に取付けた状態で光源を移動させることが可能となり、ランプ位置を移動させる操作性を大幅に向上することができる。
位置制御手段が、前記ランプソケットに装着された前記片口金ランプを、その軸方向に略沿って移動可能とするため、光源の軸方向における長さ（大きさ）の違いに対応して、照明器具を取付けた状態でグレアカット角を一定にすることができる。また同一光源において、光源位置を移動させることにより照明器具を取付けた状態でグレアカット角を変えることができる。さらに同一光源において光源位置を移動させることにより、照明器具を取付けた状態で照射面の明るさを変えることができる。光源の位置を下に移動させることにより照明器具を取付けた状態で同一光源で器具効率の向上を図ることができる。
前記可動部は補助反射板を有するため、光源根元部の光を照射方向に反射することにより、効率を上げることができる。
【００２０】
請求項２記載の照明器具は、請求項１において、前記ガイド部が、前記反射鏡の軸方向に延びて中間部で周方向に階段状に曲がるか、または軸方向に延びながら周方向に斜めに曲がっているものである。
請求項３記載の照明器具は、器具本体と、この器具本体に可動に設けられるランプソケットと、このランプソケットに装着される片口金ランプの周りを囲い前記片口金ランプの軸方向に対し略一致する軸方向を有して前記器具本体に固定された反射鏡と、前記ランプソケットに装着された前記片口金ランプを前記反射鏡に対して移動可能に操作する操作部を有して前記片口金ランプを前記反射鏡に対して位置制御する位置制御手段とを備え、
前記位置制御手段は、前記ランプソケットに装着された前記片口金ランプを、その軸方向に略沿って移動可能とするものであって、前記器具本体に取付けられた固定支持部と、前記ランプソケットを設け前記固定支持部に移動可能に取付けられた可動部とを有し、
前記可動部は前記反射鏡の内側に納装されて前記片口金ランプの後面側の光を反射する補助反射板を有し、前記補助反射板の前端開口の両側にそれぞれ一対の割りを形成することにより一対の割りの間の部分に弾力をもたせ、前記部分に突起を突出するとともに前記操作部を凹設し、
前記反射鏡の内側に前記突起を嵌合する複数の穴を前記可動部の移動方向に設け、
前記ランプソケットは前記反射鏡の上端開口を通して前記反射鏡よりも上方に突出したものである。
【００２１】
請求項２および請求項３記載の照明器具によれば、請求項１と同様な効果がある。
【００３２】
【発明の実施の形態】
この発明の第１の実施の形態を図１から図３により説明する。すなわち、この照明器具は、器具本体１と、ランプソケット２と、反射鏡３と、位置制御手段４を有する。
【００３３】
器具本体１は、ダウンライト用であり、平板により形成され、その一端部に点灯装置５を設けている。
【００３４】
ランプソケット２は、器具本体１に可動に設けられるもので、片口金ランプ６を装着している。実施の形態ではソケット取付台を兼ねた後述の可動部９に取付けられている。
【００３５】
反射鏡３は、ランプソケット２に装着される片口金ランプ６の周りを囲い、片口金ランプ６の軸方向に対し略一致する軸方向を有して配光制御するものであって、器具本体１に対して位置固定して設けている。１０は天井取付具である。
【００３６】
位置制御手段４は、片口金ランプ６を反射鏡３に対して移動させかつ位置決め固定するように位置制御するもので、ランプソケット２に装着された片口金ランプ６を反射鏡３に対して位置移動させる操作部７を、反射鏡３の反射面側から操作可能に設けている。この場合、ランプソケット２に装着された片口金ランプ６が、片口金ランプ６の軸方向に略沿って位置移動可能としている。この位置制御手段４は、器具本体１に取付けられた固定支持部８と、ランプソケット２を設け固定支持部８に移動可能に取付けられた可動部９とを有し、操作部７は可動部９に設けられ、可動部９と固定支持部８とは凹凸係止により係脱可能に固定される構成である。
【００３７】
詳しく説明すると、固定支持部８は図３（ａ）に示すように逆Ｕ字形をなし、上端部が器具本体１に取付けられており、両側片１５の所定位置に複数の係止孔１２〜１４を形成している。ランプソケット２を装着したソケット取付台を兼ねた可動部９が固定支持部８に設けられる。このとき可動部９は固定支持部８の内側に移動可能に配置される逆Ｕ字形をなしてその両側片を操作部７とし、両肩部に固定支持部８の両側片１５に摺動自在に嵌合する嵌合部１１を設け、操作部７が固定支持部８の内側に沿い、かつ複数の係止孔１２〜１４に選択的に整合可能な位置に突起１６を設けており、この突起１６が固定支持部８に設けられている係止孔１２〜１４のいずれかに嵌まることにより、可動部９がそれぞれで位置決め係止される。可動部９はプラスチックにより形成され、操作部７は樹脂弾性により内方に弾性変形することができ、この一対の操作部７を内側に摘むことにより、この突起１６が固定支持部８の係止孔１２〜１４のいずれかから解除され、そのまま操作部７を動かすことにより、可動部９がランプ軸方向に移動可能となる。このように突起１６を係止孔１２〜１４のいずれかから抜き差しでき、突起１６を係止孔１２〜１４のいずれかから外した状態で可動部９を移動させ別の係止孔１２〜１４に係止することができる。突起１６は図３（ｄ）に示すように操作部７に外側からねじ込んだねじ１８の頭部としている。
【００３８】
一方片口金ランプ６を装着するランプソケット２を可動させるために、可動部９の操作部７を内側につまむ操作に対して過度の応力を加えられた際、操作部７が必要以上に曲げられないようストッパーとなる構造とし、かつ破損を防止することが必要である。このため、図３（ｄ）に示すように操作部７に設けたねじ１８の先端を操作部７の内方に突出させて突起部２０とし、操作部７を摘む動作において過度の応力を加えられた際、ねじ１８の先端がランプソケット２に当たり操作部７がそれ以上撓むのを規制している。このように突起部２０を、ねじ１８などの金属部材で形成することにより片口金ランプ６からの発熱および紫外線による劣化に対し耐久性を向上させることができる。また図３（ｅ）に示すように突起部２０を突起１６とともに樹脂で可動部９に一体形成すると、部品点数を削減できる。
【００３９】
第１の実施の形態によれば、片口金ランプ６を移動させる操作部７を反射鏡３の内側に設けたことにより、照明器具を取付面に取付けた状態で光源を移動させることが可能となり、ランプ位置を移動させる操作性を大幅に向上することができる。
【００４０】
位置制御手段４が、ランプソケット２に装着された片口金ランプ６を、その軸方向に略沿って移動可能とするため、片口金ランプ６の軸方向における長さ（大きさ）の違いに対応して、照明器具を取付けた状態でグレアカット角を一定にすることができる。また同一光源において、光源位置を移動させることにより照明器具を取付けた状態でグレアカット角を変えることができる。さらに同一光源において光源位置を移動させることにより、照明器具を取付けた状態で照射面の明るさを変えることができる。また光源の位置を下に移動させることにより照明器具を取付けた状態で同一光源で器具効率の向上を図ることができる。
【００４１】
この発明の第２の実施の形態を図４により説明する。すなわち、第１の実施の形態との違いは、固定支持部８とソケット取付台を兼ねた可動部９との間に圧縮コイルばね状の弾性部材２５を圧縮介在している。これにより可動部８が弾性部材２５により下方に付勢されているので、可動部８をランプ軸方向の下方に移動する操作性を向上させることができる。その他は、第１の実施の形態と同様である。
【００４２】
この発明の第３の実施の形態を図５により説明する。すなわち、第１の実施の形態との違いは、可動部９の側面に設けられた突起１６を、固定支持部８に設けられた例えば略Ｅ字形のレール状のスリット穴２６に沿って動かすようにしている。これにより可動部９の突起１６をスリット穴２６の３箇所の端部の落ち込み部２６ａのいずれかに落とし込むことにより係止し、縦スリット部２６ｂを通ることにより落ち込み部２６ａ間を移動でき、可動部９がランプ軸方向に移動可能で位置決め係止が可能となる。この場合、操作部７を内方に撓ませる必要はない。また突起１６の横方向移動は操作部７の弾性を利用することができ、あるいは嵌合部１１を固定支持部８に対して横方向に移動可能にしてもよいし、突起１６を操作部７に対して横方向に移動可能にしてもよい。また突起１６は棒状部材が操作部７を貫通することにより形成され、棒状部材により突起部２０も形成している。その他は第１の実施の形態と同様である。
【００４３】
この発明の第４の実施の形態を図６により説明する。第１の実施の形成との違いは、固定支持部と可動部との位置決め・係止のための突起１６としてつまみ付きねじ１８′を用いている。すなわち、つまみ付きねじ１８′を操作部７の内側から操作部７に形成したねじ孔に螺通し、その貫通した先端を突起１６としている。ねじ１８′を緩めることにより固定支持部８からねじ山部の先端が抜けることにより、ソケット取付台を兼ねた可動部８が移動可能となる。この場合、操作部７を内方に撓ませる必要はない。またつまみの先端が突起部２０を兼ねる。その他は第１の実施の形態と同様である。
【００４４】
この発明の第５の実施の形態を図７により説明する。すなわち、第１の実施の形態との違いは、固定支持部８と操作部７には、凹凸状の溝２７が設けられており、この溝２７が噛み合うことによる摩擦抵抗により位置決め・係止される。次にこの可動部９の先端の操作部７を内側に摘むことにより、この凹凸のカミ合わせが解除され、そのまま操作部７を動かすことにより、操作部７がランプ軸方向に移動可能となる。その他は第１の実施の形態と同様である。
【００４５】
この発明の第６の実施の形態を図８により説明する。すなわち、第１の実施の形成との違いは、固定支持部８の側面に所定数の磁石２９が所定位置に設けられ、操作部７の側面に磁石２８が設けられており、この磁石２８といずれかの磁石２９が吸着し合うことにより位置決め・係止される．次にこの可動部９の先端の操作部７を内側に摘むことにより、この磁石２８、２９の吸着が解除され、そのまま操作部７を動かすことにより、可動部９がランプ軸方向に移動可能となる。なお、磁石２８、２９の一方は磁性体でもよい。その他は第１の実施の形態と同様である。
【００４６】
この発明の第７の実施の形態を図９により説明する。すなわち、第１の実施の形態との違いは、可動部９と操作部７がねじの螺合により動作すること、歯が噛み合っている部分が複数あるため、ソケット取付台の支持する機構が複数になっているという点で異なる。ねじの螺合は相噛み合うラック３０とピニオン３１であり、ピニオン３１は操作部７を兼ね可動部９および固定支持部８の一方に設けられ、ラック３０は可動部９および固定支持部８の他方に設けられている。
【００４７】
実施の形態では、可動部９の側面にラック３０が設けられており、操作部７は操作ダイヤルであり、ラック３０と操作ダイヤル（７）が噛み合うように操作ダイアルが本体反射鏡３に回転可動するように取付られていて、操作ダイアルを回転操作することによって、ソケット取付台を兼ねた可動部９が反射鏡軸方向に移動する。操作ダイアル３２は図９（ｂ）に示すように大小２種類の歯車を組み合わせたような形状になっており、大きい方の歯車３４はソケット取付台を兼ねた可動部９の窓穴３３より器具中心軸方向に貫通して飛び出すように設定されており、小さい歯車３５が可動部９のラック３０と噛み合うように配置されている。大きい方の歯車３４を回すと、小さい方の歯車３５がラック３０を動かし、可動部９を動かすようになっている。その他は第１の実施の形態と同様である。
【００４８】
この発明の第８の実施の形態を図１０により説明する。すなわち、第１の実施の形態とは、歯が噛み合っている部分が複数あるため、ソケット取付台の支持する機構が複数になっているという点で異なる。この実施の形態では、ソケット取付台を兼ねた可動部９の側面にラック３０′が設けられており、操作部７はそれと噛み合う操作ねじであり、操作ねじ（７）が反射鏡３に回転可能に取付られていて、操作ねじ（７）を回転操作することによって、可動部９が反射鏡軸方向に移動する。操作ねじ（７）は図１０に示すようにソケット取付台を兼ねた可動部９のラック３０′の溝と噛み合うような形状でねじ山がついており、操作ねじの先端のつまみ３６を回転させると、ねじ山でラック３０′の溝を動かし、可動部９を動かすようになっている。その他は、第１の実施の形態と同様である。
【００４９】
この発明の第９の実施の形態を図１１および図１２により説明する。ソケット取付台を兼ねた可動部９と操作部７とは反射鏡３と協働する補助反射板３７を設け、補助反射板３７を反射鏡３の内側に納装している。この補助反射板３７はランプソケット２の直下に位置し、片口金ランプの後面側の光を反射するわん形をなしている。第１の実施の形態と比較して、可動部９に補助反射板３７の機能が付加されていて、その補助反射板３７が反射鏡３の内側に位置している点で異なる。
【００５０】
この実施の形態では、ソケット取付台を兼ねた可動部９の側面に設けられた突起４０が固定支持部８の一部を兼ねた反射鏡３側に設けられたガイド部４１の内面をスライドするようになっており、その突起４０に設けられた穴を通して、操作部７の先端４３が突き出していて、ガイド部４１に設けられた複数の穴４１ａのいずれかに嵌合し、可動部９の位置を固定する。補助反射板３７の突起４０の両側には割りを入れて突起４０に弾性をもたせている。操作部７は線材を半円形状にわん曲し両端４３を外方に曲げたものであり、その両端４３は線材の弾性により突起４０の穴を貫通して突出している。また補助反射板３７の突起４０の内面に操作部移動用傾斜突起部４４を設け、操作部７の両端４３の付根の折曲部４３ａを操作部移動用傾斜突起部４４の傾斜面に摺接し、両端４３を中心に操作部７を回転させて操作部７の中央が図１２の実線のように下向きになるようにすると、操作部移動用傾斜突起部４４に沿って、折曲部４３が直径方向の中心側に押されて次第に操作部７の先端４３が内側に移動するように、突起部４４の傾斜面が設定されており、ガイド部４１の穴４１ａから操作部７の先端４３が外れて移動可能の状態になるようにしている。また、可動部９の裏側と固定支持部８の天板の間に第２の実施の形態に示した弾性部材を介在させることによって、スライド移動を滑らかにすることができる。
【００５１】
この実施の形態は、操作部７をソケット取付台と独立させたため、ソケット取付台を支持している状態から解除してソケット取付台を反射板軸の方向に移動させることが容易である。
【００５２】
その他は第１の実施の形態と同様である。
【００５３】
この発明の第１０の実施の形態を図１３により説明する。すなわち、第１の実施の形態とは、ソケット取付台を兼ねた可動部９に補助反射板３７の機能が付加されていて、その補助反射板３７が本体の反射鏡３の内側に位置している点で異なり、第９の実施の形態とは、反射鏡３のガイド部４１の形状が異なっている。図１３（ａ）の実施の形態ではガイド部４１が階段状に曲がっており、縦方向のスライドの間に横方向のスライドを設けてあるので、ソケット取付台の位置を目で確認せずに、どこの位置にあるかを操作者に分からせることができる。
【００５４】
また、図１３（ｂ）の実施の形態では、反射鏡３のガイド部４１の形状が斜め方向に曲線を描きながら、形成されているので、操作部７を操作するときに手の運動に合わせて自然な動きになるため、操作がやりやすい。その他は、第１の実施の形態および第９の実施の形態と同様である。
【００５５】
この発明の第１１の実施の形態を図１４により説明する。第１の実施の形態とは、ソケット取付台に補助反射板３７の機能が付加されていて、その補助反射板３７が反射鏡３の内側に位置している点で異なる。また、第９の実施の形態とは、操作部７がソケット取付台を兼ねた可動部９の補助反射板３７と一体になっている点で異なっている。すなわち、補助反射板３７の開口縁部の外面の第９の実施の形態の突起部４０の位置に突起１６を設け、突起１６の両側に割り４６を入れ、一対の割り４６の間の突起１６を有する部分に弾性をもたせ、突起１６の近傍に操作部７を凹設している。操作部７を指で想像線のように摘んで内側方向に移動させ、突起１６を本体のガイド部４１の穴４１ａから外して、可動部９を反射板軸方向に移動させることができる状態に、一回の操作ですることができる。部品点数が少なくできる上に、構造も簡単にできる。この実施の形態は、第９の実施の形態等と比較して、ソケット取付台と一体になった補助反射板３７に操作部７を一体化しているため、部品点数を少なくすることができる。
【００５６】
その他は第１の実施の形態および第９の実施の形態と同様である。
【００５７】
この発明の第１２の実施の形態を図１５により説明する。第１の実施の形態とは、ソケット取付台を兼ねた可動部９に補助反射板３７の機能が付加され、第９の実施の形態とは、補助反射板３７が反射鏡３の外方を覆うような構造になっている点で異なっており、補助反射板３７を大きく取ることができる。すなわち、器具本体１の固定支持部８または反射鏡３に設けられた支持部４７がガイド部４１と固定構造を兼ねるような構造を取り、可動部９に突起１６および操作部７を設け、突起１６を穴４１ａに嵌合することによって係止し、操作部７の操作により突起１６を穴４１ａから外して反射鏡軸方向に移動させることによって、ランプ位置を移動させ、かつ固定することができる。その他は、第１、第９から第１１の実施の形態と同様である。
【００５８】
この発明の第１３の実施の形態を図１６により説明する。第１の実施の形態とは、ランプソケットに装着された片口金ランプは、反射鏡３の軸方向Ｌに略直交する方向へ位置移動する点において異なる。すなわち、器具本体１および固定支持部８を兼ねた反射鏡３の上端部に相対向する軸受け孔５０を形成し、軸受け孔５０間にねじ棒５１の両端部が回転自在に貫通し両端部に設けた取付部５２で抜止めされている。ねじ棒５１の中央にはねじ部５３が形成され、その一端に操作部７がつまみ状に形成されている。ねじ部５３にはランプソケット２を取付けるソケット取付台を兼ねた可動部９の雌ねじ部が螺通している。
【００５９】
操作部７を回転させることによって、ねじ部５３が回転し、反射鏡３の軸Ｌと略直交する方向に可動部９を移動させることができる。操作部７はねじ棒５１を介して反射鏡３に取付られ、回動は自由にできる。したがって、可動部９が反射鏡３の軸Ｌと略直交方向（矢印）に移動することによって、ランプ位置を変更することができ、器具配光の変化を器具取付後において、行うことができる。その他は、第１の実施の形態と同様である。
【００６０】
この発明の第１４の実施の形態を図１７により説明する。すなわち、第１の実施の形態とは、ソケット取付台を兼ねた可動部９、並びに器具本体１および固定支持部８を兼ねた反射鏡３の一方に軸部５５を設け、他方に軸受け部５６を設けて可動部９の移動方向が反射鏡３の軸方向Ｌに対して斜めに交差する方向に首振り移動する点において異なる。
【００６１】
反射鏡３と可動部９とは軸部５５と軸受け部５６からなる回転軸部において取付られ、かつ回転軸部を中心に回転移動させた場合にその位置に固定できるように軸等の支持力が働くよう設定されている。そして操作部はランプソケット２に装着された片口金ランプ６で兼用することができる。このとき可動部９を首振り移動させると、片口金ランプ６の位置を器具取付後においても移動させることができ、照明器具の配光特性を変化させることができる。その他は第１の実施の形態と同様である。
【００６２】
なお、各実施の形態は互いに独立実施できるが、複数組み合わせて、実施することも可能である。
【００６３】
【発明の効果】
請求項１記載の照明器具によれば、片口金ランプを移動させる操作部を反射鏡の内側に設けたことにより、照明器具を取付面に取付けた状態で光源を移動させることが可能となり、ランプ位置を移動させる操作性を大幅に向上することができる。
位置制御手段が、前記ランプソケットに装着された前記片口金ランプを、その軸方向に略沿って移動可能とするため、光源の軸方向における長さ（大きさ）の違いに対応して、照明器具を取付けた状態でグレアカット角を一定にすることができる。また同一光源において、光源位置を移動させることにより照明器具を取付けた状態でグレアカット角を変えることができる。さらに同一光源において光源位置を移動させることにより、照明器具を取付けた状態で照射面の明るさを変えることができる。光源の位置を下に移動させることにより照明器具を取付けた状態で同一光源で器具効率の向上を図ることができる。
前記可動部は補助反射板を有するため、光源根元部の光を照射方向に反射することにより、効率を上げることができる。
【００６４】
請求項２記載の照明器具によれば、請求項１と同様な効果のほか、光源の軸方向における長さ（大きさ）の違いに対応して、照明器具を取付けた状態でグレアカット角を一定にすることができる。また同一光源において、光源位置を移動させることにより照明器具を取付けた状態でグレアカット角を変えることができる。さらに同一光源において光源位置を移動させることにより、照明器具を取付けた状態で照射面の明るさを変えることができる。光源の位置を下に移動させることにより照明器具を取付けた状態で同一光源で器具効率の向上を図ることができる。
【００６９】
請求項２および請求項３記載の照明器具によれば、請求項１と同様な効果がある。
【図面の簡単な説明】
【図１】この発明の第１の実施の形態の照明器具の半断面側面図である。
【図２】照明器具の斜視図である。
【図３】位置制御手段を示し、（ａ）は正面図、（ｂ）はその部分拡大図、（ｃ）は側面図、（ｄ）、（ｅ）は可動部の動作説明図である。
【図４】第２の実施の形態の位置制御手段の正面図である。
【図５】第３の実施の形態の位置制御手段を示し、（ａ）は正面図、（ｂ）は側面図である。
【図６】第４の実施の形態の位置制御手段の正面図である。
【図７】第５の実施の形態の位置制御手段の正面図である。
【図８】第６の実施の形態の位置制御手段の正面図である。
【図９】第７の実施の形態の位置制御手段を示し、（ａ）は半断面側面図、（ｂ）は可動部および操作ダイヤルの斜視図である。
【図１０】第８の実施の形態の位置制御手段を示し、（ａ）は半断面側面図、（ｂ）は可動部および操作ねじの斜視図である。
【図１１】第９の実施の形態の照明器具の斜視図である。
【図１２】その補助反射板およびランプソケットを示す斜視図である。
【図１３】第１０の実施の形態におけるガイド部の斜視図である。
【図１４】第１１の実施の形態における補助反射板の斜視図である。
【図１５】第１２の実施の形態の照明器具の斜視図である。
【図１６】第１３の実施の形態の要部断面図である。
【図１７】第１４の実施の形態の要部断面図である。
【図１８】（ａ）は従来例の部分断面図、（ｂ）はその止め部の斜視図である。
【符号の説明】
１    器具本体
２    ランプソケット
３    反射鏡
４    位置制御手段
６    片口金ランプ
７    操作部
８    固定支持部
９    可動部
１１    嵌合部
１２〜１４    係止孔
１６    突起
１８    ねじ
１８′    つまみ付ねじ
２０    突起部
２５    弾性部材
２６    スリット穴
２８    磁石
２９    磁石
３０    ラック
３１    ピニオン
３７    補助反射板
４０    突起
４１    ガイド部
４１ａ    穴
４３    両端
【図１】
0004255609.tif 000002
【図２】
0004255609.tif 000003
【図３】
0004255609.tif 000004
【図４】
0004255609.tif 000005
【図５】
0004255609.tif 000006
【図６】
0004255609.tif 000007
【図７】
0004255609.tif 000008
【図８】
0004255609.tif 000009
【図９】
0004255609.tif 000010
【図１０】
0004255609.tif 000011
【図１１】
0004255609.tif 000012
【図１２】
0004255609.tif 000013
【図１３】
0004255609.tif 000014
【図１４】
0004255609.tif 000015
【図１５】
0004255609.tif 000016
【図１６】
0004255609.tif 000017
【図１７】
0004255609.tif 000018
【図１８】
0004255609.tif 000019